(57)【要約】【課題】延長基板使用時に、プラグイン基板の誤挿入の恐れがあるという課題を解決する。【解決手段】誤挿入防止用ピンが設けられたプラグイン基板を、該プラグイン基板の誤挿入防止用ピンと勘合する誤挿入防止用穴が設けられたマザーボードに挿抜可能な電子機器において、マザーボードとプラグイン基板との間の中継接続に用いられる延長基板を、マザーボードとプラグイン基板との間に延長基板が実装された状態において、プラグイン基板の誤挿入防止用ピンとマザーボードの誤挿入防止用穴とを結ぶ直線上に、該直線方向にスライド可能なロッドを備え、マザーボードとプラグイン基板との間に延長基板が実装されると、プラグイン基板の誤挿入防止用ピンによりロッドがマザーボード方向にスライドし、該スライドしたロッドがマザーボードの誤挿入防止用穴に勘合するように構成する。【選択図】図３
2011134867.tif 000002
【特許請求の範囲】
【請求項１】
誤挿入防止用ピンが設けられたプラグイン基板を、該プラグイン基板の誤挿入防止用ピンと勘合する誤挿入防止用穴が設けられたマザーボードに挿抜可能な電子機器において、マザーボードとプラグイン基板との間の中継接続に用いられる延長基板であって、
マザーボードとプラグイン基板との間に延長基板が実装された状態において、プラグイン基板の誤挿入防止用ピンとマザーボードの誤挿入防止用穴とを結ぶ直線上に、該直線方向にスライド可能なロッドを備え、マザーボードとプラグイン基板との間に延長基板が実装されると、プラグイン基板の誤挿入防止用ピンによりロッドがマザーボード方向にスライドし、該スライドしたロッドがマザーボードの誤挿入防止用穴に勘合するようにした延長基板。
【発明の詳細な説明】
【技術分野】
【０００１】
本発明は、複数の基板を実装する無線機等の電子機器において、プラグイン基板等の基板の整備、調整等に使用する延長基板に関するものである。
【背景技術】
【０００２】
従来の技術として、複数の基板を実装する電子機器において、電子機器のシャーシの内部に固定されているマザーボードのコネクタに、ガイドレールを介して、複数のプラグイン基板のコネクタを抜差しするものがある。特許文献１には、複数のプラグイン基板を実装する電子機器において、前面から複数のプラグイン基板を抜差しする構造が開示されている。
【０００３】
図４は、無線機における従来のマザーボードとプラグイン基板（カード式プラグインモジュール）の構造例を示す。図４において、４１はプラグイン基板である。４２は、プラグイン基板４１に設けられた位置決め穴で、後述するマザーボードに設けられた複数のコネクタのうち、所定のコネクタにのみ挿入できるようにするための誤挿入防止用穴である。４３は、プラグイン基板４１に設けられた位置決めピンで、マザーボードに設けられた複数のコネクタのうち、所定のコネクタにのみ挿入できるようにするための誤挿入防止用ピンである。４４は、プラグイン基板４１に設けられたコネクタで、マザーボードに設けられたコネクタと接続するためのものである。４６は、無線機のシャーシである。４７は、シャーシ４６の内部に固定されているマザーボードである。４８は、マザーボード４７に設けられた位置決めピンで、プラグイン基板４１に設けられた位置決め穴４２と勘合するようになっている。４９は、マザーボード４７に設けられた位置決め穴で、プラグイン基板４１に設けられた位置決めピン４３と勘合するようになっている。５０は、マザーボード４７に設けられたコネクタで、プラグイン基板４１に設けられたコネクタ４４と接続されるものである。５１は、プラグイン基板４１をマザーボード４７に挿入する際に、プラグイン基板４１を支えるガイドであり、シャーシ４６に固定されている。
図４に示すように、プラグイン基板４１を、ガイド５１に沿って、マザーボード４７に向けて移動させ、プラグイン基板４１のコネクタ４４を、マザーボード４７のコネクタ５０に挿入することにより、プラグイン基板４１とマザーボード４７との間で、電源や信号が接続される。
【０００４】
次に、プラグイン基板４１のコネクタ４４と、マザーボード４７のコネクタ５０の誤挿入防止構造について、図５を用いて説明する。図５Ａは、図４のＡ―Ａ矢視図であり、マザーボード４７に設けられた３つのコネクタ（１）（２）（３）を図４の上側（プラグイン基板４１側）から見た図である。図５Ｂは、図４のＢ―Ｂ矢視図であり、３枚のプラグイン基板（１）（２）（３）を図４の下側（マザーボード４７側）から見た図である。マザーボード４７の３つのコネクタ（１）（２）（３）は、それぞれ、３枚のプラグイン基板（１）（２）（３）のコネクタに接続されるようになっている。
図５から分かるように、プラグイン基板（１）の位置決め穴４２と位置決めピン４３とは、それぞれ、マザーボード４７のコネクタ（１）の位置決めピン４８、位置決め穴４９とのみ勘合し、マザーボード４７のコネクタ（２）の位置決めピン、位置決め穴とは勘合しない。また、マザーボード４７のコネクタ（３）には、位置決めピンと位置決め穴がないので、勘合しない。したがって、プラグイン基板（１）は、マザーボード４７のコネクタ（２）（３）に誤挿入されることがない。プラグイン基板（２）（３）も同様に、それぞれ、マザーボード４７のコネクタ（２）（３）にのみ挿入可能となっている。
【０００５】
次に、図４におけるプラグイン基板４１に延長基板を接続する場合の構造について、図６を用いて説明する。図６は、マザーボード４７のコネクタ５０に延長基板を接続し、該延長基板にプラグイン基板４１を接続する構造を示す。図６において、６１は延長基板である。６２は、延長基板６１に設けられたコネクタであり、マザーボード４７のコネクタ５０と接続するためのものである。６３は、延長基板６１に設けられたコネクタであり、プラグイン基板４１のコネクタ４４と接続するためのものである。６４は、延長基板６１に設けられたガイドであり、プラグイン基板４１を支えるためのものである。
まず、マザーボード４７のコネクタ５０に、延長基板６１のコネクタ６２を挿入する。次に、延長基板６１のコネクタ６３に、プラグイン基板４１のコネクタ４４を挿入する。このようにして、マザーボード４７と延長基板６１、延長基板６１とプラグイン基板４１が接続される。
この延長基板接続構造の問題点は、延長基板６１に、位置決め穴や位置決めピンのような誤挿入防止の機能がないため、プラグイン基板４１を、本来接続すべきマザーボード４７のコネクタ５０とは別のコネクタ５０に誤って接続する恐れがあるということである。このように誤接続した場合は、プラグイン基板４１が破壊される恐れがある。もちろん、図５Ｂに示すような位置決め穴４２と位置決めピン４３を延長基板に設ければ、誤挿入防止は可能であるが、３種類の延長基板が必要となり、資源や保管等の面から実用的ではない。
【先行技術文献】
【特許文献】
【０００６】
【特許文献１】特開平１０-０９８２８４公報
【発明の概要】
【発明が解決しようとする課題】
【０００７】
上述したように、従来技術における延長基板では、延長基板使用時に、プラグイン基板の誤挿入の恐れがあるという課題があった。本発明は、このような従来の課題を解決するために為されたもので、延長基板使用時に、プラグイン基板を誤挿入する恐れのない延長基板を提供することを目的とする。
【課題を解決するための手段】
【０００８】
上記課題を解決するため、本願発明では、を次のような構成とした。すなわち、
誤挿入防止用ピンが設けられたプラグイン基板を、該プラグイン基板の誤挿入防止用ピンと勘合する誤挿入防止用穴が設けられたマザーボードに挿抜可能な電子機器において、マザーボードとプラグイン基板との間の中継接続に用いられる延長基板であって、
マザーボードとプラグイン基板との間に延長基板が実装された状態において、プラグイン基板の誤挿入防止用ピンとマザーボードの誤挿入防止用穴とを結ぶ直線上に、該直線方向にスライド可能なロッドを備え、マザーボードとプラグイン基板との間に延長基板が実装されると、プラグイン基板の誤挿入防止用ピンによりロッドがマザーボード方向にスライドし、該スライドしたロッドがマザーボードの誤挿入防止用穴に勘合するようにした延長基板。
【発明の効果】
【０００９】
本願発明によれば、１種類の延長基板により、延長基板使用時に、プラグイン基板の誤挿入による破壊の恐れのないようにした延長基板を提供することができる。
【図面の簡単な説明】
【００１０】
【図１】本発明における、マザーボードとプラグイン基板の構造例を示す図である。
【図２】図１のＡ―Ａ矢視図、Ｂ―Ｂ矢視図である。
【図３】本発明における、マザーボードに延長基板を接続し、該延長基板にプラグイン基板を接続する構造を示す図である。
【図４】従来における、マザーボードとプラグイン基板の構造を示す図である。
【図５】図４のＡ―Ａ矢視図、Ｂ―Ｂ矢視図である。
【図６】従来例における、マザーボードに延長基板を接続し、該延長基板にプラグイン基板を接続する構造を示す図である。
【発明を実施するための形態】
【００１１】
本発明の実施形態の一例である延長基板について、図１、図２Ａ、図２Ｂ、図３を参照しながら説明する。図１は、本発明における、マザーボードとプラグイン基板の構造例を示す図である。図１において、１１はプラグイン基板である。１２は、プラグイン基板１１に設けられた位置決め穴で、後述するマザーボードに設けられた複数のコネクタのうち、所定のコネクタにのみ挿入できるようにするための誤挿入防止用穴である。１３は、プラグイン基板１１に設けられた位置決めピンで、マザーボードに設けられた複数のコネクタのうち、所定のコネクタにのみ挿入できるようにするための誤挿入防止用ピンである。１４は、プラグイン基板１１に設けられたコネクタで、マザーボードに設けられたコネクタと接続するためのものである。１６は、無線機のシャーシである。１７は、シャーシ１６の内部に固定されているマザーボードである。１８は、マザーボード１７に設けられた位置決めピンで、プラグイン基板１１に設けられた位置決め穴１２と勘合するようになっている。１９は、マザーボード１７に設けられた位置決め穴で、プラグイン基板１１に設けられた位置決めピン１３と勘合するようになっている。２０は、マザーボード１７に設けられたコネクタで、プラグイン基板１１に設けられたコネクタ１４と接続されるものである。２１は、プラグイン基板１１をマザーボード１７に挿入する際に、プラグイン基板１１を支えるガイドであり、シャーシ１６に固定されている。
図１に示すように、プラグイン基板１１を、ガイド２１に沿って、マザーボード１７に向けて移動させ、プラグイン基板１１のコネクタ１４を、マザーボード１７のコネクタ２０に挿入することにより、プラグイン基板１１とマザーボード１７との間で、電源や信号が接続される。
【００１２】
次に、プラグイン基板１１のコネクタ１４と、マザーボード１７のコネクタ２０の誤挿入防止構造について、図２を用いて説明する。図２Ａは、図１のＡ―Ａ矢視図であり、マザーボード１７の３つのコネクタ（１）（２）（３）を図１の上側（プラグイン基板１１側）から見た図である。図２Ｂは、図１のＢ―Ｂ矢視図であり、３枚のプラグイン基板（１）（２）（３）を図１の下側（マザーボード１７側）から見た図である。マザーボード１７の３つのコネクタ（１）（２）（３）は、それぞれ、３枚のプラグイン基板（１）（２）（３）のコネクタに接続されるようになっている。
図２から分かるように、プラグイン基板（１）の位置決め穴１２と位置決めピン１３とは、それぞれ、マザーボード１７のコネクタ（１）の位置決めピン１８、位置決め穴１９とのみ勘合し、マザーボード１７のコネクタ（２）の位置決めピン、位置決め穴とは勘合しない。また、マザーボード１７のコネクタ（３）には、位置決めピンと位置決め穴がないので、勘合しない。したがって、プラグイン基板（１）は、マザーボード１７のコネクタ（２）（３）に誤挿入されることがない。プラグイン基板（２）（３）も同様に、それぞれ、マザーボード１７のコネクタ（２）（３）にのみ挿入可能となっている。
【００１３】
次に、図１におけるプラグイン基板１１に延長基板を接続する場合の構造について、図３を用いて説明する。図３は、マザーボード１７のコネクタ２０に延長基板を接続し、該延長基板にプラグイン基板１１を接続する構造を示す。図３において、３１は延長基板である。３２は、延長基板３１に設けられたコネクタであり、マザーボード１７のコネクタ２０と接続するためのものである。３３は、延長基板３１に設けられたコネクタであり、プラグイン基板１１のコネクタ１４と接続するためのものである。３４は、延長基板３１に設けられたガイドであり、プラグイン基板３１を支えるためのものである。３５は、マザーボード１７とプラグイン基板１１との間に延長基板３１が実装された状態において、プラグイン基板１１の誤挿入防止用穴１２とマザーボードの誤挿入防止用ピン１８とを結ぶ直線上、およびプラグイン基板１１の誤挿入防止用ピン１３とマザーボードの誤挿入防止用穴１９とを結ぶ直線上に、該直線方向にスライド可能なように、延長基板３１に設けられたロッドである。３６，３７，３８，３９は、ロッド３５の両端を前記スライド可能に支えるよう、延長基板３１に設けられたブラケットである。ロッド３５は、例えば円柱形状であり、その端部３５ｂの直径は該端部以外の部分（中央部）３５ａの直径よりも小さい。図３に示すように、端部３５ｂは、ブラケット３６，３７，３８，３９に開けられた穴にスライド可能に支えられている。ブラケット３６，３７，３８，３９に開けられた穴の内径は、ロッド３５の端部３５ｂの直径よりも大きく、中央部３５ａの直径よりも小さいので、ロッド３５のスライド範囲は、端部３５ｂがブラケット３６，３７，３８，３９内を動く範囲に限定される。図３の例では、端部３５ｂの長さは、ブラケット３６，３７，３８，３９の長さに位置決めピンの長さを加えた長さとしている。
【００１４】
次に、図２におけるマザーボード１７のコネクタ２０の（１）に延長基板３１のコネクタ３２を接続し、該延長基板３１のコネクタ３３に、図２におけるプラグイン基板１１のコネクタ１４の（１）を接続する場合の動作を、図３を用いて説明する。
まず、マザーボード１７のコネクタ２０に延長基板３１のコネクタ３２が接続されると、図３に示すマザーボード１７の位置決めピン１８が、延長基板３１の下部のブラケット３６の穴に進入する。そうすると、左側のロッド３５が上方向にスライドし、延長基板３１の上部のブラケット３８の穴からロッド３５の端部３５ｂが、マザーボード１７の位置決めピン１８の長さ分ほど突き出る。
また、マザーボード１７のコネクタ２０に延長基板３１が接続されると、右側のロッド３５が下方向にスライドし、右側のロッド３５の端部３５ｂが、マザーボード１７の位置決め穴１９に進入する。そうすると、延長基板３１の上部のブラケット３９の穴からロッド３５の端部３５ｂが、マザーボード１７の位置決め穴１９の長さ分（深さ分）ほど引っ込む。
この状態において、延長基板３１のコネクタ３３にプラグイン基板１１のコネクタ１４が接続されると、延長基板３１の上部のブラケット３８の穴から突き出たロッド３５の端部３５ｂが、位置決めピンの役割を果たし、プラグイン基板１１の位置決め穴１２に勘合する。また、延長基板３１の上部のブラケット３９の穴に、プラグイン基板１１の位置決めピン１３が勘合する。
【００１５】
同様にして、図２におけるマザーボード１７のコネクタ２０の（２）に延長基板３１のコネクタ３２を接続し、該延長基板３１のコネクタ３３に、図２におけるプラグイン基板１１のコネクタ１４の（２）を接続する場合も、延長基板３１のコネクタ３３にプラグイン基板１１のコネクタ１４が接続されると、延長基板３１の上部のブラケット３８の穴から突き出たロッド３５の端部３５ｂが、位置決めピンの役割を果たし、プラグイン基板１１の位置決め穴１２に勘合する。また、延長基板３１の上部のブラケット３９の穴に、プラグイン基板１１の位置決めピン１３が勘合する。
【００１６】
また、図２におけるマザーボード１７のコネクタ２０の（３）に延長基板３１のコネクタ３２を接続し、該延長基板３１のコネクタ３３に、図２におけるプラグイン基板１１のコネクタ１４の（３）を接続する場合は、マザーボード１７のコネクタ２０の（３）には、位置決めピンも位置決め穴も存在しないので、延長基板３１のロッド３５の端部３５ｂは、どのブラケットの穴からも突き出ることがない。したがって、図２におけるマザーボード１７のコネクタ２０の（３）に延長基板３１のコネクタ３２が接続されても、延長基板３１の上部のブラケット３８、３９の穴からロッド３５の端部３５ｂが突き出ることがないので、延長基板３１のコネクタ３３に、図２におけるプラグイン基板１１のコネクタ１４の（３）を接続することができる。
【００１７】
以上により、１種類の延長基板により、延長基板使用時にも、プラグイン基板を誤挿入する恐れを解消することができる。
【符号の説明】
【００１８】
１１・・プラグイン基板、１２・・位置決め穴、１３・・位置決めピン、１４・・コネクタ、１６・・シャーシ、１７・・マザーボード、１８・・位置決めピン、１９・・位置決め穴、２０・・コネクタ、２１・・ガイド、３１・・延長基板、３２・・コネクタ、３３・・コネクタ、３４・・ガイド、３５・・ロッド、３６・・ブラケット、３７・・ブラケット、３８・・ブラケット、３９・・ブラケット、４１・・プラグイン基板、４２・・位置決め穴、４３・・位置決めピン、４４・・コネクタ、４６・・シャーシ、４７・・マザーボード、４８・・位置決めピン、４９・・位置決め穴、５０・・コネクタ、５１・・ガイド。
【図１】
2011134867.tif 000003
【図２】
2011134867.tif 000004
【図３】
2011134867.tif 000005
【図４】
2011134867.tif 000006
【図５】
2011134867.tif 000007
【図６】
2011134867.tif 000008